(57)【要約】【課題】呼吸量が比較的少なくても、また、比較的大きくても、油入電気機器の呼吸を観察することができる吸湿呼吸器を提供する。【解決手段】吸湿呼吸器は、吸気部と排気部を有する呼吸弁と、該呼吸弁を装着可能な本体と有する。吸気部は、球状の吸気部フロートと、該吸気部フロートが係合するための吸気部呼吸孔を備えた吸気部フロート受板と、を有し、前記吸気部フロートと前記吸気部呼吸孔によって、外部からの空気を前記本体に導入するための逆止弁を構成している。排気部は、球状の排気部フロートと、該排気部フロートが係合するための排気部呼吸孔を備えた排気部フロート受板と、前記排気部フロートと前記排気呼吸孔によって、前記本体からの空気を外部に送出するための逆止弁を構成している。【選択図】図１
2014086530.tif 000002
【特許請求の範囲】
【請求項１】
吸気部と排気部を有する呼吸弁と、該呼吸弁を装着可能な本体と、を有する吸湿呼吸器において、
前記本体は、天板と、底体と、前記天板及び底体の間に挟まれたガラス円筒と、該ガラス円筒内に設けられた通気管と、前記ガラス円筒内に充填された吸湿剤と、を有し、前記天板には、前記呼吸弁を接続するための呼吸弁接続部と、前記通気管を油保存器からの呼吸配管に接続するための呼吸配管接続部と、が設けられ、
前記吸気部は、外部からの空気を吸入するための吸気部入口と、球状の吸気部フロートと、該吸気部フロートが係合するための吸気部呼吸孔を備えた吸気部フロート受板と、前記本体に空気を排出するための吸気部出口とを有し、前記吸気部フロートと前記吸気部呼吸孔によって、外部からの空気を前記本体に導入するための逆止弁を構成しており、
前記排気部は、前記本体からの空気を導き入れるための排気部入口と、球状の排気部フロートと、該排気部フロートが係合するための排気部呼吸孔を備えた排気部フロート受板と、外部に空気を排出するための排気部出口とを有し、前記排気部フロートと前記排気呼吸孔によって、前記本体からの空気を外部に送出するための逆止弁を構成していることを特徴とする吸湿呼吸器。
【請求項２】
請求項１記載の吸湿呼吸器において、
前記吸気部は、前記吸気部フロート受板の下側の入口空間と、前記吸気部フロート受板の上側の出口空間と、前記入口空間と前記出口空間を接続する通路空間とを有し、前記吸気部入口は前記入口空間の下面に設けられ、前記吸気部出口は前記通路空間の下面に設けられ、
前記排気部は、前記排気部フロート受板の下側の入口空間と、前記排気部フロート受板の上側の出口空間と、前記入口空間と前記出口空間を接続する通路空間とを有し、前記排気部入口は前記入口空間の下面に設けられ、前記排気部出口は前記通路空間の下面に設けられていることを特徴とする吸湿呼吸器。
【請求項３】
請求項１又は２記載の吸湿呼吸器において、
前記呼吸弁は、円筒状のケーシングと該ケーシングの円筒部の直径方向に沿って配置されたパーティションを有し、該パーティションによって前記ケーシングの内部空間は、半円形断面を有する２つの半円筒状空間が形成され、該２つの半円筒状空間によって前記吸気部と前記排気部が構成されていることを特徴とする吸湿呼吸器。
【請求項４】
請求項３記載の吸湿呼吸器において、
前記ケーシングの下面に下部リング状部材が設けられており、該下部リング状部材の内側に円形開口部が形成され、該下部リング状部材の外側にリング状開口部が形成されており、
前記吸気部入口及び前記排気部出口は、前記リング状開口部に形成され、前記吸気部出口及び前記排気部入口は、前記円形開口部に形成されていることを特徴とする吸湿呼吸器。
【請求項５】
請求項４記載の吸湿呼吸器において、
前記下部リング状部材の内周面に形成されたネジは、前記天板の呼吸弁接続部の外周面に形成されたネジに係合するように構成されていることを特徴とする吸湿呼吸器。
【請求項６】
吸湿呼吸器の本体に装着可能に構成された呼吸弁において、
吸気部と排気部を有し、
前記吸気部は、外部からの空気を吸入するための吸気部入口と、球状の吸気部フロートと、該吸気部フロートが係合するための吸気部呼吸孔を備えた吸気部フロート受板と、前記本体に空気を排出するための吸気部出口とを有し、前記吸気部フロートと前記吸気部呼吸孔によって、外部からの空気を前記本体に導入するための逆止弁を構成しており、
前記排気部は、前記本体からの空気を導き入れるための排気部入口と、球状の排気部フロートと、該排気部フロートが係合するための排気部呼吸孔を備えた排気部フロート受板と、外部に空気を排出するための排気部出口とを有し、前記排気部フロートと前記排気呼吸孔によって、前記本体からの空気を外部に送出するための逆止弁を構成していることを特徴とする呼吸弁。
【請求項７】
請求項６記載の呼吸弁において、
前記吸気部は、前記吸気部フロート受板の下側の入口空間と、前記吸気部フロート受板の上側の出口空間と、前記入口空間と前記出口空間を接続する通路空間とを有し、前記吸気部入口は前記入口空間の下面に設けられ、前記吸気部出口は前記通路空間の下面に設けられ、
前記排気部は、前記排気部フロート受板の下側の入口空間と、前記排気部フロート受板の上側の出口空間と、前記入口空間と前記出口空間を接続する通路空間とを有し、前記排気部入口は前記入口空間の下面に設けられ、前記排気部出口は前記通路空間の下面に設けられていることを特徴とする呼吸弁。
【請求項８】
請求項６又は７記載の呼吸弁において、
円筒状のケーシングと該ケーシングの円筒部の直径方向に沿って配置されたパーティションを有し、該パーティションによって前記ケーシングの内部空間は、半円形断面を有する２つの半円筒状空間が形成され、該２つの半円筒状空間によって前記吸気部と前記排気部が構成されていることを特徴とする呼吸弁。
【請求項９】
請求項８記載の呼吸弁において、
前記ケーシングの下面に下部リング状部材が設けられており、該下部リング状部材の内側に円形開口部が形成され、該下部リング状部材の外側にリング状開口部が形成されており、
前記吸気部入口及び前記排気部出口は、前記リング状開口部に形成され、前記吸気部出口及び前記排気部入口は、前記円形開口部に形成されていることを特徴とする呼吸弁。
【請求項１０】
請求項９記載の呼吸弁において、
前記下部リング状部材の内周面に形成されたネジは、前記天板の呼吸弁接続部の外周面に形成されたネジに係合するように構成されていることを特徴とする呼吸弁。
【請求項１１】
請求項１〜５のいずれか１項記載の吸湿呼吸器を備えた油入電気機器。
【発明の詳細な説明】
【技術分野】
【０００１】
本発明は、油入変圧器などの油入電気機器に使用する吸湿呼吸器に関し、特に、吸湿呼吸器の呼吸弁に関する。
【背景技術】
【０００２】
油入変圧器などの油入電気機器では、絶縁油を貯蔵するタンクを備える。タンクは、絶縁油が劣化しないように密閉容器となっている。そのため、温度変化等に起因して、タンク内の圧力と大気との間に圧力差が生じる。そこで、タンクには、油保存器（コンサベータ）が設けられている。油保存器は、タンク内の油が外気に直接触れないように、且つ、空気の出入を可能にするように構成されている。
【０００３】
例えば、油入電気機器の温度が上昇する朝には、油保存器を介して、タンクの内部から外部に空気が排出し、油入電気機器の温度が下降する夕方では、油保存器を介して、タンクの外部から内部に空気を吸入する。これは、油入電気機器の「呼吸作用」と呼ばれる。
【０００４】
油保存器の呼吸口には、吸入する空気の湿気を除去するための吸湿呼吸器(dehydrating breather)が設けられる。吸湿呼吸器は、通常、吸湿剤としてシリカゲルを用いる。吸湿呼吸器は、オイルポット又はシールオイルを使用する湿式と、それを使用しない所謂オイルレス型又は乾式が知られている。例えば、特許文献１には、オイルレス型の吸湿呼吸器の例が記載されている。
【先行技術文献】
【特許文献】
【０００５】
【特許文献１】特開平１０−１３５０４３号公報
【発明の概要】
【発明が解決しようとする課題】
【０００６】
従来の所謂オイルレス型又は乾式の吸湿呼吸器では、油入電気機器の「呼吸作用」を肉眼で観察することはできなかった。即ち、油入電気機器が、現在、空気を吸入しているのか、排出しているのか、又は、呼吸をしていないのか、を肉眼で観察することはできなかった。
【０００７】
本発明の目的は、呼吸量が比較的少なくても、また、比較的大きくても、油入電気機器の呼吸を観察することができる吸湿呼吸器を提供することにある。
【課題を解決するための手段】
【０００８】
本発明に係る吸湿呼吸器の乾式呼吸弁は、吸湿呼吸器に組み付けて、非呼吸時には吸湿剤の浪費を防止するため、吸湿呼吸器への大気中の湿気の侵入を遮断する機能を備えるとともに、併せて、呼吸時には呼吸状態を表示する機能を備える。
【０００９】
本発明によると、吸気部と排気部を有する呼吸弁と、該呼吸弁を装着可能な本体と、を有する吸湿呼吸器において、
前記本体は、天板と、底体と、前記天板及び底体の間に挟まれたガラス円筒と、該ガラス円筒内に設けられた通気管と、前記ガラス円筒内に充填された吸湿剤と、を有し、前記天板には、前記呼吸弁を接続するための呼吸弁接続部と、前記通気管を油保存器からの呼吸配管に接続するための呼吸配管接続部が設けられ、前記吸気部は、外部からの空気を吸入するための吸気部入口と、球状の吸気部フロートと、該吸気部フロートが係合するための吸気部呼吸孔を備えた吸気部フロート受板と、前記本体に空気を排出するための吸気部出口とを有し、前記吸気部フロートと前記吸気部呼吸孔によって、外部からの空気を前記本体に導入するための逆止弁を構成しており、前記排気部は、前記本体からの空気を導き入れるための排気部入口と、球状の排気部フロートと、該排気部フロートが係合するための排気部呼吸孔を備えた排気部フロート受板と、外部に空気を排出するための排気部出口とを有し、前記排気部フロートと前記排気呼吸孔によって、前記本体からの空気を外部に送出するための逆止弁を構成している。
【００１０】
本発明の実施形態によると、前記吸湿呼吸器において、前記吸気部は、前記吸気部フロート受板の下側の入口空間と、前記吸気部フロート受板の上側の出口空間と、前記入口空間と前記出口空間を接続する通路空間とを有し、前記吸気部入口は前記入口空間の下面に設けられ、前記吸気部出口は前記通路空間の下面に設けられ、前記排気部は、前記排気部フロート受板の下側の入口空間と、前記排気部フロート受板の上側の出口空間と、前記入口空間と前記出口空間を接続する通路空間とを有し、前記排気部入口は前記入口空間の下面に設けられ、前記排気部出口は前記通路空間の下面に設けられてよい。
【００１１】
本発明の実施形態によると、前記吸湿呼吸器において、前記呼吸弁は、円筒状のケーシングと該ケーシングの円筒部の直径方向に沿って配置されたパーティションを有し、該パーティションによって前記ケーシングの内部空間は、半円形断面を有する２つの半円筒状空間が形成され、該２つの半円筒状空間によって前記吸気部と前記排気部が構成されてよい。
【００１２】
本発明の実施形態によると、前記吸湿呼吸器において、前記ケーシングの下面に下部リング状部材が設けられており、該下部リング状部材の内側に円形開口部が形成され、該下部リング状部材の外側にリング状開口部が形成されており、前記吸気部入口及び前記排気部出口は、前記リング状開口部に形成され、前記吸気部出口及び前記排気部入口は、前記円形開口部に形成されてよい。
【００１３】
本発明の実施形態によると、前記吸湿呼吸器において、前記下部リング状部材の内周面に形成されたネジは、前記天板の呼吸弁接続部の外周面に形成されたネジに係合するように構成されてよい。
【００１４】
本発明によると、吸湿呼吸器の本体に装着可能に構成された呼吸弁において、吸気部と排気部を有し、前記吸気部は、外部からの空気を吸入するための吸気部入口と、球状の吸気部フロートと、該吸気部フロートが係合するための吸気部呼吸孔を備えた吸気部フロート受板と、前記本体に空気を排出するための吸気部出口とを有し、前記吸気部フロートと前記吸気部呼吸孔によって、外部からの空気を前記本体に導入するための逆止弁を構成しており、前記排気部は、前記本体からの空気を導き入れるための排気部入口と、球状の排気部フロートと、該排気部フロートが係合するための排気部呼吸孔を備えた排気部フロート受板と、外部に空気を排出するための排気部出口とを有し、前記排気部フロートと前記排気呼吸孔によって、前記本体からの空気を外部に送出するための逆止弁を構成している。
【００１５】
本発明の実施形態によると、前記呼吸弁において、前記吸気部は、前記吸気部フロート受板の下側の入口空間と、前記吸気部フロート受板の上側の出口空間と、前記入口空間と前記出口空間を接続する通路空間とを有し、前記吸気部入口は前記入口空間の下面に設けられ、前記吸気部出口は前記通路空間の下面に設けられ、前記排気部は、前記排気部フロート受板の下側の入口空間と、前記排気部フロート受板の上側の出口空間と、前記入口空間と前記出口空間を接続する通路空間とを有し、前記排気部入口は前記入口空間の下面に設けられ、前記排気部出口は前記通路空間の下面に設けられてよい。
【００１６】
本発明の実施形態によると、前記呼吸弁において、円筒状のケーシングと該ケーシングの円筒部の直径方向に沿って配置されたパーティションを有し、該パーティションによって前記ケーシングの内部空間は、半円形断面を有する２つの半円筒状空間が形成され、該２つの半円筒状空間によって前記吸気部と前記排気部が構成されてよい。
【００１７】
本発明の実施形態によると、前記呼吸弁において、前記ケーシングの下面に下部リング状部材が設けられており、該下部リング状部材の内側に円形開口部が形成され、該下部リング状部材の外側にリング状開口部が形成されており、前記吸気部入口及び前記排気部出口は、前記リング状開口部に形成され、前記吸気部出口及び前記排気部入口は、前記円形開口部に形成されてよい。
【００１８】
本発明の実施形態によると、前記呼吸弁において、前記下部リング状部材の内周面に形成されたネジは、前記天板の呼吸弁接続部の外周面に形成されたネジに係合するように構成されてよい。
【００１９】
本発明に係る油入電気機器は、前記吸湿呼吸器を備えている。
【発明の効果】
【００２０】
本発明によれば、呼吸量が比較的少なくても、また、比較的大きくても、油入電気機器の呼吸を観察することができる。
【図面の簡単な説明】
【００２１】
【図１】図１は、本発明に係る吸湿呼吸器の構造の例を説明するための斜視図である。
【図２Ａ】図２Ａは、本発明に係る吸湿呼吸器が吸気作用を行っている状態を説明するための説明図である。
【図２Ｂ】図２Ｂは、本発明に係る吸湿呼吸器が排気作用を行っている状態を説明するための説明図である。
【図３Ａ】図３Ａは、本発明に係る吸湿呼吸器の呼吸弁の上面構成を示す図である。
【図３Ｂ】図３Ｂは、本発明に係る吸湿呼吸器の構成を説明するための説明図であり、図３Ａの線Ａ−Ａ方向から見た断面構成を示す図である。
【図３Ｃ】図３Ｃは、本発明に係る吸湿呼吸器の呼吸弁の吸気部の構成を説明するための説明図であり、図３Ａの線Ｂ−Ｂ方向から見た断面構成を示す図である。
【図３Ｄ】図３Ｄは、本発明に係る吸湿呼吸器の呼吸弁の排気部の構成を説明するための説明図であり、図３Ａの線Ｃ−Ｃ方向から見た断面構成を示す図である。
【図３Ｅ】図３Ｅは、本発明に係る吸湿呼吸器の呼吸弁の下部水平仕切板に設けられた入口及び出口を説明する説明図であり、図３Ｂの線Ｄ−Ｄ方向から見た断面構成を示す図である。
【図４Ａ】図４Ａは、本発明に係る吸湿呼吸器の呼吸弁の吸気部の動作を説明するための説明図である。
【図４Ｂ】図４Ｂは、本発明に係る吸湿呼吸器の呼吸弁の排気部の動作を説明するための説明図である。
【図５】図５は、本発明に係る吸湿呼吸器の呼吸弁のフロートの外面の構成を示す図である。
【発明を実施するための形態】
【００２２】
以下、本発明に係る吸湿呼吸器の実施形態に関して、添付の図面を参照しながら詳細に説明する。なお、図中、同一の要素に対しては同一の参照符号を付して、重複した説明を省略する。
【００２３】
図１を参照して本発明の実施の形態に係る吸湿呼吸器の例を説明する。本例の吸湿呼吸器は、本体２０とその上に装着された呼吸弁１０を有する。吸湿呼吸器の本体２０は、上側の天板２１と、下側の底体２２と、両者の間に挟まれたガラス円筒２３と、を有し、天板２１と底体２２は、締付ボルト２４によって固定されている。
【００２４】
天板２１の上には、２つのフランジ座、即ち、呼吸弁接続部２６と呼吸配管接続部２８が設けられている。呼吸弁接続部２６の外周にはネジ２７が形成されている。呼吸配管接続部２８には、油保存器（コンサベータ）からの呼吸配管３６が接続される。
【００２５】
ガラス円筒２３内には、通気管３０が設けられている。通気管３０の下端には多数の小さな孔を備えたストレーナ３２が設けられている。ガラス円筒２３内には粒状の吸湿剤３８、例えば、シリカゲルが装填されている。通気管３０の上端は、天板に設けられた呼吸配管接続部２８を介して呼吸配管３６に接続される。
【００２６】
呼吸弁１０は、上蓋１０１と円筒部１０２を有する円筒状のケーシング１００を備えている。ケーシング１００の下面に下部リング状部材１１５が設けられている。下部リング状部材１１５の内側に円形開口部１０３が形成され、外側にリング状開口部１０５が形成されている。下部リング状部材１１５の内周面にはネジ１０４が形成されている。ネジ１０４は、天板２１の呼吸弁接続部２６のネジ２７に係合するように構成されている。
【００２７】
呼吸弁１０の下部リング状部材１１５のネジ１０４を、本体２０の天板２１の呼吸弁接続部２６のネジ２７に係合させることにより、呼吸弁１０は本体２０に接続される。呼吸弁１０の下面の円形開口部１０３は、本体２０のガラス円筒２３の内部に接続される。呼吸弁１０の下面のリング状開口部１０５は外気に接続されている。リング状開口部１０５に、リング状フィルタが設けられてよい。
【００２８】
図２Ａ及び図２Ｂを参照して、呼吸弁の機能を説明する。呼吸弁の構造の詳細は後に説明する。ここでは、吸気弁の機能を説明するために必要な要部のみを説明する。
【００２９】
呼吸弁１０は吸気部２００と排気部３００を有する。吸気部２００と排気部３００は同時には作動しない。油入電気機器が吸気状態にあるときには、吸気部２００のみが作動し、排気部３００は閉止状態にある。油入電気機器が排気状態にあるときには、排気部３００のみが作動し、吸気部２００は閉止状態にある。
【００３０】
油入電気機器が呼吸を行っていないときには、呼吸弁が閉じており、吸気部２００と排気部３００は停止している。油入電気機器が呼吸を行っていないときには、外気の湿気（水蒸気）が本体のガラス円筒２３内の吸湿剤３８に侵入することはない。
【００３１】
図２Ａを参照して、吸湿呼吸器の吸気作用を説明する。吸気部２００には、フロート受板２０１とフロート２０３が設けられている。フロート受板２０１には呼吸孔２０２が形成されている。呼吸孔２０２は、テーパ状の内周面を備えた円形孔であり、上側の円形口の径より下側の円形口の径のほうが小さい。一方、フロート２０３は球状である。呼吸孔２０２とフロート２０３によって逆止弁が構成される。呼吸孔２０２にフロート２０３が係合することにより、呼吸孔２０２が閉じられる。呼吸孔２０２よりフロート２０３が浮き上がることにより呼吸孔２０２が開かれる。
【００３２】
吸気状態では、油入電気機器内の圧力は大気圧より小さい減圧状態にある。吸湿呼吸器の本体のガラス円筒２３内の圧力は、大気圧より小さい。そのため、ガラス円筒２３内と外部との間で圧力差が生じ、吸気部２００におけるフロート２０３は呼吸孔２０２より浮き上がる。
【００３３】
外部からの空気は、吸気部２００の下面の吸気部入口２１３を経由して吸気部２００に吸い込まれる。この空気は、呼吸孔２０２を経由して、フロート受板２０１の上側に進み、反転して、吸気部２００の下面の吸気部出口２１２を通過し、本体のガラス円筒２３内に吸い込まれる。この空気はガラス円筒２３内の吸湿剤３８を通過する。このとき空気に含まれる水分は吸湿剤３８に吸収される。乾燥した空気は、ストレーナ３２を経由し、通気管３０に導かれ、更に呼吸配管３６を経由して、油保存器に吸い込まれる。
【００３４】
尚、外部からの空気が吸気部２００に吸い込まれるとき、リング状開口部１０５に設けられたフィルタ１０６によって、空気と共に運ばれる塵が排除される。
【００３５】
図２Ｂを参照して、吸湿呼吸器の排気作用を説明する。排気部３００には、フロート受板３０１とフロート３０３が設けられている。フロート受板３０１には呼吸孔３０２が形成されている。呼吸孔３０２は、テーパ状の内周面を備えた円形孔であり、上側の円形口の径より下側の円形口の径のほうが小さい。一方、フロート３０３は球状である。呼吸孔３０２とフロート３０３によって逆止弁が構成される。呼吸孔３０２にフロート３０３が係合することにより、呼吸孔３０２が閉じられる。呼吸孔３０２よりフロート３０３が浮き上がることにより呼吸孔３０２が開かれる。
【００３６】
排気状態では、油入電気機器内の圧力は大気圧より大きい加圧状態にある。吸湿呼吸器の本体のガラス円筒２３内の圧力は、大気圧より大きい。そのため、ガラス円筒２３内と外部との間で圧力差が生じ、排気部３００におけるフロート３０３は呼吸孔３０２より浮き上がる。
【００３７】
油保存器からの空気は、呼吸配管３６を経由して、通気管３０に導かれ、ストレーナ３２を経由して、ガラス円筒２３内に導かれる。この空気はガラス円筒２３内の吸湿剤３８を通過し、排気部３００の下面の排気部入口３１２を経由して排気部３００に押し込まれる。この空気は、呼吸孔３０２を経由して、フロート受板３０１の上側に進み、反転して、排気部３００の下面の排気部出口３１３を通過し、外部に排出される。
【００３８】
図３Ａ〜図３Ｅを参照して呼吸弁の構造を説明する。図３Ａは、呼吸弁の上面構成を示す。上述のように呼吸弁は円筒状のケーシングを有する。ケーシングの円筒部１０２の直径方向に沿ってパーティション１０８が配置されている。パーティション１０８によってケーシングの内部空間は、吸気部２００と排気部３００に分けられている。従って、吸気部２００と排気部３００は、それぞれ、半円形断面を有する半円筒状空間によって形成されている。
【００３９】
吸気部２００には、四分円形のフロート受板２０１が設けられている。フロート受板２０１には、上述のように、呼吸孔が設けられ、そこに球状のフロート２０３が配置されている。フロート受板２０１の縁よりフロートストッパ２０４が延びている。
【００４０】
排気部３００には、四分円形のフロート受板３０１が設けられている。フロート受板３０１には、上述のように、呼吸孔が設けられ、そこに球状のフロート３０３が配置されている。フロート受板３０１の縁よりフロートストッパ３０４が延びている。
【００４１】
フロートストッパ２０４、３０４は、フロート２０３、３０３がフロート受板２０１、３０１より落下することを防止するように機能する。例えば、フロート２０３、３０３の外径をｄとする。フロートストッパ２０４、３０４とパーティション１０８の間の隙間の寸法をｓ１とするとｓ１＜ｄである。フロートストッパ２０４、３０４と円筒部１０２の間の隙間の寸法をｓ２とするとｓ２＜ｄである。
【００４２】
フロートストッパ２０４、３０４の上面は傾斜している。従って、フロート２０３、３０３は、常に、フロート受板２０１、３０１の呼吸孔に戻るように構成されている。
【００４３】
図３Ｂは、図３Ａの線Ａ−Ａ方向から見た呼吸弁の断面構成を示す。吸気部２００には、フロート受板２０１とその下の下部水平仕切板２１１が設けられている。フロート受板２０１には、呼吸孔２０２が設けられ、そこに球状のフロート２０３が配置されている。吸気状態のときフロート２０３は浮き上がる。排気状態のとき、フロート２０３は排気の圧力で呼吸孔２０２に押し付けられ呼吸孔２０２を閉止（逆止）する。
【００４４】
排気部３００には、フロート受板３０１とその下の下部水平仕切板３１１が設けられている。フロート受板３０１には、呼吸孔３０２が設けられ、そこに球状のフロート３０３が配置されている。排気状態のときフロート３０３は浮き上がる。吸気状態のとき、フロート３０３は吸気の圧力で呼吸孔３０２に押し付けられ呼吸孔３０２を閉止（逆止）する。
【００４５】
吸気部２００のフロート受板２０１と排気部３００のフロート受板３０１はパーティション１０８によって分けられているが、単一のフロート受板を形成するように構成されている。吸気部２００の下部水平仕切板２１１と排気部３００の下部水平仕切板３１１はパーティション１０８によって分けられているが、単一の下部水平仕切板を形成するように構成されている。
【００４６】
下部水平仕切板２１１、３１１の下に下部リング状部材１１５が設けられ、その内周面にはネジ１０４が形成されている。下部リング状部材１１５の内側に円形開口部１０３が形成され、外側にリング状開口部１０５が形成されている。リング状開口部１０５には、リング状フィルタが設けられてよい。
【００４７】
図３Ｃは、図３Ａの線Ｂ−Ｂ方向から見た呼吸弁の吸気部２００の断面構成を示す。吸気部２００には、フロート受板２０１とその下の下部水平仕切板２１１が設けられている。フロート受板２０１の縁よりフロートストッパ２０４が延びている。フロートストッパ２０４の上面は傾斜している。下部水平仕切板２１１には、吸気部出口２１２と吸気部入口２１３とが設けられている。
【００４８】
外部からの空気は、吸気部２００の下面の吸気部入口２１３を経由して入口空間２１４に吸い込まれる。この空気は、呼吸孔２０２を経由して、フロート受板２０１の上側の出口空間２０５に進み、通路空間２０６にて反転して、吸気部出口２１２を通過し、本体のガラス円筒内に吸い込まれる。
【００４９】
尚、外部からの空気が吸気部２００に吸い込まれるとき、リング状開口部１０５に設けられたフィルタによって、空気と共に運ばれる塵が排除される。
【００５０】
図３Ｄは、図３Ａの線Ｃ−Ｃ方向から見た呼吸弁の排気部３００の断面構成を示す。排気部３００には、フロート受板３０１とその下の下部水平仕切板３１１が設けられている。フロート受板３０１の縁よりフロートストッパ３０４が延びている。フロートストッパ３０４の上面は傾斜している。下部水平仕切板３１１には、排気部入口３１２と排気部出口３１３とが設けられている。
【００５１】
本体のガラス円筒内からの空気は、排気部３００の下面の排気部入口３１２を経由して入口空間３１４に押し込まれる。この空気は、呼吸孔３０２を経由して、フロート受板３０１の上側の出口空間３０５に進み、通路空間３０６にて反転して、排気部出口３１３を通過し、外部に排出される。
【００５２】
図３Ｅは、図３Ｂの線Ｄ−Ｄ方向から見た呼吸弁の下部水平仕切板の断面構成を示す。下部水平仕切板は、吸気部２００の下部水平仕切板２１１と排気部３００の下部水平仕切板３１１からなる。吸気部２００の下部水平仕切板２１１には、吸気部出口２１２と吸気部入口２１３が形成されている。排気部３００の下部水平仕切板３１１には、排気部入口３１２と排気部出口３１３が形成されている。吸気部出口２１２と排気部入口３１２は四分円形孔であり、吸気部入口２１３と排気部出口３１３は四分円弧状孔である。
【００５３】
図４Ａを参照して、本実施形態に係る呼吸弁１０の吸気部２００の動作を説明する。外部からの空気は、吸気部２００の下面の吸気部入口２１３を経由して入口空間２１４に吸い込まれる。この空気は、呼吸孔２０２を経由して、フロート受板２０１の上側の出口空間２０５に進む。出口空間２０５と通路空間２０６は接続されている。従って、出口空間２０５に導かれた空気は、通路空間２０６を経由して、吸気部出口２１２を通過し、本体のガラス円筒内に吸い込まれる。
【００５４】
図４Ｂを参照して、本実施形態に係る呼吸弁１０の排気部３００の動作を説明する。本体のガラス円筒内からの空気は、排気部３００の下面の排気部入口３１２を経由して入口空間３１４に押し込まれる。この空気は、呼吸孔３０２を経由して、フロート受板３０１の上側の出口空間３０５に進む。出口空間３０５と通路空間３０６は接続されている。従って、出口空間３０５に導かれた空気は、通路空間３０６を経由して、排気部出口３１３を通過し、外部に排出される。
【００５５】
本発明の実施形態によると、吸気部２００のフロート２０３を観察することによって、油入電気機器の呼吸状態を知ることができる。例えば、フロート２０３が浮き上がっているとき、油入電気機器が吸気状態にあると判断できる。即ち、油入電気機器及び呼吸器は正常に吸気しており、故障していないと判定できる。更に、フロート２０３の浮き上がり量を測定することにより、吸気量の概量を知ることができる。
【００５６】
同様に、排気部３００のフロート３０３を観察することによって、油入電気機器の呼吸状態を知ることができる。例えば、フロート３０３が浮き上がっているとき、油入電気機器が排気状態にあると判断できる。即ち、油入電気機器及び呼吸器は正常に排気しており、故障していないと判定できる。更に、フロート３０３の浮き上がり量を測定することにより、排気量の概量を知ることができる。
【００５７】
本発明の実施形態によると、呼吸量が比較的少なくても、また、比較的大きくても、油入電気機器の呼吸を観察することができる。
【００５８】
しかしながら、吸気部２００のフロート２０３が呼吸孔２０２の上にて静止しているときは、油入電気機器が排気状態であって吸気状態でないのか、吸気量が比較的少ないのか、又は、油入電気機器又は呼吸器が故障により正常に吸気していないのか不明である。排気部３００のフロート３０３が呼吸孔３０２の上にて静止しているときは、油入電気機器が吸気状態であって排気状態でないのか、排気量が比較的少ないのか、又は、油入電気機器又は呼吸器が故障により正常に排気していないのか不明である。
【００５９】
そこで、本実施形態では、油入電気機器が呼吸していないのか、又は、油入電気機器又は呼吸器が故障により正常に呼吸していないのかを検出する機能を設けた。
【００６０】
図５を参照して、フロート２０３、３０３の外面の模様の例を説明する。本実施形態では、フロート２０３、３０３の外面に様々な模様、数字、記号、又は、それらの組み合わせが記載されている。例えば、図５（Ｃ）において、英文字Ａは正面、英文字Ｂ、Ｄは側面、英文字Ｅは上面、英文字Ｆは下面、英文字Ｃは裏面を表す。図５（Ｄ）において、数字１は正面、数字２、４は側面、数字５は上面、数字６は下面、数字３は裏面を表す。フロート２０３、３０３が、呼吸孔２０２、３０２の上にて静止している状態から、浮き上がり、次に、再び、呼吸孔２０２、３０２の上に戻りそこで静止しているものとする。フロート２０３、３０３は、浮き上がりの前後で、回転位置を変化させている。
【００６１】
従って、所定の周期毎に、フロート２０３、３０３の外面の模様等の位置を観察又は撮影して記録する。観察又は撮影周期は、呼吸周期に基づいて任意の値に設定してよい。前回観察又は撮影したフロート２０３、３０３の外面の模様等と、今回観察又は撮影したフロート２０３、３０３の外面の模様等を比較し、両者の間に差異がある場合には、その間に、フロート２０３、３０３が浮き上った、即ち、呼吸を行ったと判断できる。
【００６２】
一方、前回観察又は撮影したフロート２０３、３０３の外面の模様等と、今回観察又は撮影したフロート２０３、３０３の外面の模様等を比較し、両者の間に差異がない場合には、フロート２０３、３０３は、呼吸孔２０２、３０２の上に静止していたことになる。この場合には、油入電気機器の運転状況等を勘案して、油入電気機器又は呼吸器が故障により正常に呼吸していないと判断することができる。また、その原因調査等を行えばよい。
【００６３】
以上、本実施形態に係る吸湿呼吸器について説明したが、これらは例示であって、本発明の範囲を制限するものではない。当業者が、本実施形態に対して容易になしえる追加・削除・変更・改良等は、本発明の範囲内である。本発明の技術的範囲は、添付の特許請求の記載によって定められる。
【符号の説明】
【００６４】
１０…呼吸弁、  ２０…本体、  ２１…天板、  ２２…底体、  ２３…ガラス円筒、  ２４…締付ボルト、  ２６…呼吸弁接続部、  ２７…ネジ、  ２８…呼吸配管接続部、  ３０…通気管、  ３２…ストレーナ、  ３６…呼吸配管、  ３８…吸湿剤、  １００…ケーシング、  １０１…上蓋、  １０２…円筒部、  １０３…円形開口部、  １０４…ネジ、  １０５…リング状開口部、  １０６…リング状フィルタ、  １０８…パーティション、  １１５…下部リング状部材、  ２００…吸気部、  ２０１…フロート受板、  ２０２…呼吸孔、  ２０３…フロート、  ２０４…フロートストッパ、  ２０５…出口空間、  ２０６…通路空間、  ２１０…下部垂直仕切板、  ２１１…下部水平仕切板、  ２１２…吸気部出口、  ２１３…吸気部入口、  ２１４…入口空間、  ３００…排気部、  ３０１…フロート受板、  ３０２…呼吸孔、  ３０３…フロート、  ３０４…フロートストッパ、  ３０５…出口空間、  ３０６…通路空間、  ３１０…下部垂直仕切板、  ３１１…下部水平仕切板、  ３１２…排気部入口、  ３１３…排気部出口、  ３１４…入口空間
【図１】
2014086530.tif 000003
【図２Ａ】
2014086530.tif 000004
【図２Ｂ】
2014086530.tif 000005
【図３Ａ】
2014086530.tif 000006
【図３Ｂ】
2014086530.tif 000007
【図３Ｃ】
2014086530.tif 000008
【図３Ｄ】
2014086530.tif 000009
【図３Ｅ】
2014086530.tif 000010
【図４Ａ】
2014086530.tif 000011
【図４Ｂ】
2014086530.tif 000012
【図５】
2014086530.tif 000013